(57)【要約】      （修正有）【課題】容易、迅速かつ確実にハガキを印刷物から分離させて、ハガキの使用が抵抗なく行えるハガキを備えた印刷物を提供する。【解決手段】印刷物本体１の一側部に、印刷物本体１上に折り重ね可能な折返部１３を構成し、前記折返部１３の略中央部に、スリットからなる縦の切取線１４とミシン目からなる横の切取線１５を構成し、これらの切取線１４、１５によって切り取り可能なハガキ２０を構成し、前記折返部１３を印刷物本体１上に折り重ねて弱粘着性の接着手段で接着したことを特徴とする。【選択図】図１
0003151548.tif 000002
【実用新案登録請求の範囲】
【請求項１】
印刷物本体の一側部に、印刷物本体上に折り重ね可能な折返部を構成し、前記折返部の略中央部に、スリットからなる縦の切取線とミシン目からなる横の切取線を構成し、これらの切取線によって切り取り可能なハガキを構成し、前記折返部を印刷物本体上に折り重ねて弱粘着性の接着手段で接着したことを特徴とするハガキを備えた印刷物。
【考案の詳細な説明】
【技術分野】
【０００１】
本考案は、新聞の折り込み広告等に使用する印刷物に関するものであり、特に一部にハガキを備えた印刷物に関するものである。
【背景技術】
【０００２】
従来より、ハガキを備えた広告用チラシが提案されていた。例えば特許文献１に記載された広告用チラシは、部分的に封緘された広告用チラシであって、封緘部を切り取って開封することにより、ハガキ等として使用できる中間紙片を分離した状態で取り出すことのできる構成の広告用チラシである。
【先行技術文献】
【特許文献】
【０００３】
【特許文献１】特開２００３−２５５８７２号公報
【考案の概要】
【考案が解決しようとする課題】
【０００４】
前記の特許文献１に記載の発明は、印刷された２つの連続紙片を所定位置にて重ね合わせて、所定位置にて接着して折り曲げてカットすることにより作製される、２つ折りして形成された２枚の矩形状の本紙紙片間に中間紙片を挿入して端縁で接着した構成であるため、製造過程が複雑であった。
また、ハガキが広告用チラシより分離された状態で取り出されるため、直ちにそのハガキを使用しないと紛失するおそれがあった。
本考案は、このような従来の広告用チラシ欠点を除去して、容易、迅速かつ確実にハガキを印刷物から分離させて、ハガキの使用が抵抗なく行え、そのため気軽に広告に応募できるようにしたハガキを備えた印刷物を提供することを目的とする。
【課題を解決するための手段】
【０００５】
本考案の要旨とするところは、印刷物本体の一部に折線を構成して折返部を構成し、この折返部を前記折線によって印刷物本体上に折り重ね可能にする。前記折返部の略中央部に、２本の縦の切取線と２本の横の切取線を構成し、この切取線によって切り取り可能なハガキを構成し、前記折返部を印刷物本体上に折り重ねて弱粘着の糊で接着したハガキを備えた印刷物である。
【考案の効果】
【０００６】
本考案によれば、印刷物本体よりハガキを迅速、容易、確実に切り離すことができる。そのため、ハガキを印刷物から簡単に切り離して使用することができ、気軽に広告等に応募でき商品購入や資料請求へつなげる効果も大きいのである。
また、折返部を剥がした後の広告面にハガキが残るため、ハガキが目立つので広告効果を高めることが可能となる。
さらに製造方法が簡単であり、製作時の印刷スピードも速くコストも廉価となる。
【図面の簡単な説明】
【０００７】
【図１】本考案の一実施形態の平面図
【図２】本考案の一実施形態の製造過程の説明図
【図３】本考案の一実施形態の使用状態の説明図
【図４】本考案の一実施形態の使用状態の説明図
【考案を実施するための形態】
【０００８】
図面に基づいて本考案の一実施形態を説明する。
図１は本考案の一実施形態の平面図、図２は同製造過程の説明図、図３及び図４は同使用状態の説明図である。
【０００９】
本実施形態の印刷物であるチラシ本体１を構成する紙は、郵便法のハガキに関する規定に合致した厚みや重量を有するものである。そのため、１枚の厚紙でチラシ本体１を構成して、ハガキをとりやすくしたものである。しかし、他の方法として、薄い紙を強粘着して貼り合わせて構成することもできる。
【００１０】
本実施形態の製造方法を説明すると、図示のように長方形のチラシ本体１の端部に、端縁１６より所定の幅Ｌを有する折返部１３を構成し、裏面の全面に弱粘着の糊を塗布する。この折返部１３は、印刷物であるチラシ本体１の端縁１６と平行な縦の折線１２より折返して、チラシ本体１の貼着部１１上に折り重ねて接着する。
前記弱粘着とは、容易に剥離できる粘着のことであり、後述のように貼着部１１に残ったハガキ２０も手で容易に剥離できる状態の貼着である。
【００１１】
前記折返部１３は、中央部分に構成した２本の縦の切取線１４と２本の横の切取線１５によってハガキ２０を構成する。
前記縦の切取線１４は、チラシ表面を完全に切断したスリットであり、横の切取線１５はミシン目によって構成している。
【００１２】
本実施形態は前記のように構成したから、ハガキ２０は横の切取線１５によって折返部１３とつながっていて、かつ弱粘着の糊によって貼着部１１の上に接着して固定されている。
そのため、チラシ本体１の配布時にハガキ２０のみが剥がれてしまうこともなく、従来のチラシと同様の方法で問題なく配布することもできる。
【００１３】
上記のように構成した本実施形態を使用するときには、図３に示すように折返部１３の端部（図３中左側）を持って剥がしていく。
このとき、ハガキ２０のミシン目である横の切取線１５の強度よりも弱粘着の強度のほうを強くしてあるため、折返部１３の枠部１３ａを剥がしていくと横の切取線１５が切り取られることになる。なお、切取線１４はスリットであるためあらかじめ折返部１３から切り離されている。
このようにして、折返部１３の枠部１３ａだけが剥がされて、ハガキ２０は貼着部１１上に弱粘着された状態で、剥がれずに残ることになる。
【００１４】
図４は枠部１３ａを剥がし終わった状態を表している。折返部１３よりハガキ２０が切り取られたため、折返部１３にはハガキ大の穴２５が開いている。
ハガキ２０は、手で貼着面１１より容易に剥がすことが可能な強度で弱粘着されているためハガキ２０をすぐに手に取りやすく、前述のように広告効果アップにつながるのである。
【００１５】
また、通常の印刷工程上、２枚重ねの紙のうち一枚だけをハガキ型に切り取ることは、非常に高度な技術を必要とする。しかし、本実施形態では縦の切取線１４と横の切取線１５を入れてから折り重ねて貼着するため、技術的にも比較的簡単で、印刷スピードをアップさせ、コストを抑えられるというメリットもある。
【産業上の利用可能性】
【００１６】
本考案は、折り重ねた印刷物を剥がすだけで印刷物本体からハガキを切り取ることができるため、容易、迅速かつ確実にハガキを印刷物から分離させて使用できるため、広告効果もアップするのである。
【符号の説明】
【００１７】
１      チラシ本体（印刷物本体）
１１    貼着部
１２    折線
１３    折返部
１３ａ  枠部
１４    縦の切取線
１５    横の切取線
１６    端縁
Ｌ      幅
【図１】
0003151548.tif 000003
【図２】
0003151548.tif 000004
【図３】
0003151548.tif 000005
【図４】
0003151548.tif 000006